(57)【要約】【課題】多条の穀稈を刈取搬送する多条刈りコンバインにおいて、刈り取った穀稈の脱穀装置への搬送をスムーズにして刈取速度を高速化する。【解決手段】機体の前部に配列した穀稈条数分の引起し装置２１の後側に、右側株元挟持搬送装置２８Ｒと左側株元挟持搬送装置２８Ｌ及び中央株元挟持搬送装置２８Ｃを機体の前側が開いた状態に配置すると共に、それぞれの上部に穀稈の穂先側を係止して搬送する右穂先係止搬送装置２９Ｒと左穂先係止搬送装置２９Ｌと中央穂先係止搬送装置２９Ｃを設け、右穂先係止搬送装置２９Ｒを下側の右側株元挟持搬送装置２８Ｒに対して右側ほど後方へ逃がして配置したことを特徴とする多条刈りコンバインの刈取搬送装置とした。【選択図】図１
2010193751.tif 000002
【特許請求の範囲】
【請求項１】
機体の前部に配列した穀稈条数分の引起し装置（２１）の後側に、右側株元挟持搬送装置（２８Ｒ）と左側株元挟持搬送装置（２８Ｌ）及び中央株元挟持搬送装置（２８Ｃ）を機体の前側が開いた状態に配置すると共に、それぞれの上部に穀稈の穂先側を係止して搬送する右穂先係止搬送装置（２９Ｒ）と左穂先係止搬送装置（２９Ｌ）と中央穂先係止搬送装置（２９Ｃ）を設け、右穂先係止搬送装置（２９Ｒ）を下側の右側株元挟持搬送装置（２８Ｒ）に対して右側ほど後方へ逃がして配置したことを特徴とする多条刈りコンバインの刈取搬送装置。
【発明の詳細な説明】
【技術分野】
【０００１】
この発明は、機体前部に設けて圃場に植生する穀稈を刈り取って脱穀装置に送る多条刈りコンバインの刈取搬送装置に関する。
【背景技術】
【０００２】
コンバインの機体前部には、機体の進行に伴って圃場に植立する穀稈を刈り取って機体後部の脱穀装置に送りこむ刈取搬送装置を設けている。
例えば、特開平１１−２２５５４５号公報や特開２００４−２６１１８５号公報や特開２００８−８６２４６号公報に、六条の穀稈を一度に刈り取って脱穀装置に送り込む刈取搬送装置が記載されている。
【先行技術文献】
【特許文献】
【０００３】
【特許文献１】特開平１１−２２５５４５号公報
【特許文献２】特開２００４−２６１１８５号公報
【特許文献３】特開２００８−８６２４６号公報
【発明の概要】
【発明が解決しようとする課題】
【０００４】
コンバインの刈取搬送装置は、多条に植生する機体前側の穀稈を一気に刈り取って機体後部の脱穀装置に送り込むのであるが、一般的に脱穀装置の穀稈取り入れ口が機体の左側一箇所に設けられているために、機体の右側寄りで刈り取った穀稈は脱穀装置に至るまでに長く搬送されることになる。このために、七条の穀稈を刈り取る刈取搬送装置では、搬送速度を速くすると、機体の右側で刈り取られた２，３条分の穀稈が脱穀装置へ送られる間に穀稈姿勢が乱れて脱穀装置への送りこみ姿勢が悪く脱穀装置での脱穀性能が低下することになり、刈取速度を速く出来ない等の問題が有る。
【０００５】
そこで、本発明では、多条の穀稈を刈取搬送する多条刈りコンバインにおいて、刈り取った穀稈の脱穀装置への搬送をスムーズにして刈取速度を高速化可能にすることが課題である。
【課題を解決するための手段】
【０００６】
本発明の上記課題は次の構成によって解決される。
すなわち、機体の前部に配列した穀稈条数分の引起し装置（２１）の後側に、右側株元挟持搬送装置（２８Ｒ）と左側株元挟持搬送装置（２８Ｌ）及び中央株元挟持搬送装置（２８Ｃ）を機体の前側が開いた状態に配置すると共に、それぞれの上部に穀稈の穂先側を係止して搬送する右穂先係止搬送装置（２９Ｒ）と左穂先係止搬送装置（２９Ｌ）と中央穂先係止搬送装置（２９Ｃ）を設け、右穂先係止搬送装置（２９Ｒ）を下側の右側株元挟持搬送装置（２８Ｒ）に対して右側ほど後方へ逃がして配置したことを特徴とする多条刈りコンバインの刈取搬送装置とした。
【０００７】
この構成で、機体の前部で引起し装置２１によって引き起こされながら刈り取られる穀稈が、機体の右側では右側株元挟持搬送装置２８Ｒと右穂先係止搬送装置２９Ｒで、機体の中央では中央株元挟持搬送装置２８Ｃと中央穂先係止搬送装置２９Ｃで、機体の左側では左側株元挟持搬送装置２８Ｌと左穂先係止搬送装置２９Ｌとで、刈り取った穀稈が安定した姿勢を保持されて脱穀装置の取り込み口へ送られる。
【発明の効果】
【０００８】
本発明によると、機体の右側で刈り取られた穀稈が右側株元挟持搬送装置２８Ｒと右穂先係止搬送装置２９Ｒで引起し装置２１の後側を通って脱穀装置の取り込み口へ長い搬送距離を搬送されるが、量の多い穂先側が下側の右側株元挟持搬送装置２８Ｒに対して右側ほど後方へ逃がして配置した右穂先係止搬送装置２９Ｒで保持して搬送されるので、穂先側の搬送抵抗が少なく穀稈の姿勢を乱すことなくスムーズに脱穀装置の取り込み口へ搬送されるので、穀稈の刈取速度を速く出来て収穫作業の能率が高まる。
【図面の簡単な説明】
【０００９】
【図１】コンバインの刈取搬送装置の平面図である。
【図２】刈取搬送装置の右側面図である。
【図３】刈取搬送装置の左側面図である。
【図４】刈取搬送装置の右側断面図である。
【図５】刈取搬送装置の平断面図である。
【図６】刈取搬送装置の一部正面図である。
【図７】一部の拡大左側面図である。
【図８】引起し装置の一部平面図である。
【図９】刈取搬送装置の動力伝動線図である。
【図１０】一部の拡大左側面図である。
【発明を実施するための最良の形態】
【００１０】
次に、本発明の実施例を説明する。
図１は、コンバインの機体前部に設ける刈取搬送装置５の平面図で、この刈取搬送装置５で、圃場に植生する稲や麦等の穀稈を刈り取ってコンバイン機体後部の脱穀装置に搬送供給する。
【００１１】
刈取搬送装置５は、圃場に植立する穀稈の株元を左右に分草する分草体２０と、分草後の穀稈を株元側から穂先側に向けて移動するラグで引起す引起し装置２１と、引起し後の穀稈の株元を刈り取るバリカン式刈刃装置２２と、刈取後の穀稈株元を所定距離後方に掻込搬送する掻込スターホイル２４や掻込ベルト２５等からなる掻込搬送装置２３と、この掻込搬送後の穀稈を引き継いで揚上搬送して前記脱穀装置の脱穀フイ−ドチェンに受渡し供給する揚上搬送装置２６等からなる。
【００１２】
引起し装置２１は、左右方向に刈取条数分だけつまりこの実施例では七個立設されるが、引起し装置２１の上端を支持する刈取入力伝動ケース８の左右端部の左側連結部を取り外すと、引起し装置２１の下側を支持する刈取横伝動ケース１１を中心にして前方へ回動して、内部のバリカン式刈刃装置２２や掻込搬送装置２３や揚上搬送装置２６の点検修理を行い易くしている。
【００１３】
脱穀装置前側の車体上には刈取懸架台１０が立設され、その上端に刈取入力軸６を内装した刈取入力伝動ケース８が架設されている。刈取入力軸６の右外端部には刈取入力プーリ７が固着され、エンジンＥからの動力伝達によって回転駆動されるようになっている。刈取入力伝動ケース８と縦伝動軸１５を内装軸架する刈取縦フレーム９と刈取横伝動軸１６を内架する刈取横伝動ケース１１とは一体的に連結保持され、後述する刈取搬送装置５の各装置を支持し動力伝達する構成としている。なお、刈取入力軸６から縦伝動軸１５へは第一ベベルギヤ機構Ｇ１で伝動し、縦伝動軸１５から刈取横伝動軸１６へは第二ベベルギヤ機構Ｇ２によって伝動する構成としている。
【００１４】
刈取横伝動ケース１１の左右端部には、バリカン式刈刃装置２２の左駆動部１７と右駆動部１８を設け、刈取横伝動ケース１１の右駆動部１８の近くを振れ止め装置１９で機体に固定している。この左駆動部１７と右駆動部１８は、左右端部の分草体２０よりも機体内側に位置しているので、植生する穀稈や畦に当たらない。
【００１５】
前記揚上搬送装置２６は、右側株元挟持搬送装置２８Ｒによって右側３条分の穀稈の株元側を挟持搬送し、左側株元挟持搬送装置２８Ｌによって左側２条分の穀稈の株元側を挟持搬送し、中央株元挟持搬送装置２８Ｃによって中央２条分の穀稈の株元側を挟持搬送し、右側株元挟持搬送装置２８Ｒの上側に配置する右側穂先係止搬送装置２９Ｒと前穂先係止搬送装置３０Ｆで右側３条分の穀稈穂先側部を係止搬送し、左側株元挟持搬送装置２８Ｌの上側に配置する左側穂先係止搬送装置２９Ｌで左側２条分の穀稈穂先側部を係止搬送し、中央株元挟持搬送装置２８Ｃの上側に配置する中央側穂先係止搬送装置２９Ｃによって中央２条分の穀稈穂先側部を係止搬送する構成としている。
【００１６】
右側株元挟持搬送装置２８Ｒと左側株元挟持搬送装置２８Ｌは、平面視で前方へ向かってハの字型の搬送経路を形成すべく配置してあり、主流となる右側株元挟持搬送装置２８Ｒとその上側に配置する右側穂先係止搬送装置２９Ｒと前穂先係止搬送装置３０Ｆで右側３条分の穀稈を右側株元挟持搬送装置２８Ｒの終端部に送り、支流となる左側株元挟持搬送装置２８Ｌとその上側に配置する左側穂先係止搬送装置２９Ｌで左側２条分の穀稈を右側株元挟持搬送装置２８Ｒの終端部に合流させるべく連通構成し、中央側穂先係止搬送装置２９Ｃとその上側に配置する中央側穂先係止搬送装置２９Ｃで中央２条分の穀稈を右側株元挟持搬送装置２８Ｒの終端部に合流させるべく連通構成し、合流部Ｋで合流された後の穀稈は後続の供給チェン３１と後穂先係止搬送装置３０Ｒが引き継いで脱穀装置のフィードチェンまで係止搬送するように構成している。
【００１７】
なお、左側穂先係止搬送装置２９Ｌと中央側穂先係止搬送装置２９Ｃと右側穂先係止搬送装置２９Ｒの上方には、それぞれ左側上部穂先係止搬送装置２９ＬＵと中央側上部穂先係止搬送装置２９ＣＵと右側上部穂先係止搬送装置２９ＲＵを設けて長稈に対する適応性をもたせるように構成している。
【００１８】
また、前穂先係止搬送装置３０Ｆと左側穂先係止搬送装置２９Ｌ終端の合流部Ｋは、図１に示すように、刈取縦フレーム９の左側に位置させた構成とし、合流部Ｋから落下するわら屑や雑草等が刈取縦フレーム９上に落下滞積するのを防止するようにしている。
【００１９】
右側株元挟持搬送装置２８Ｒの終端部と後株元挟持搬送装置の始端部との間には、脱穀装置の扱室内への穀稈供給深さを調節する供給チェン３１が設けられ、この供給チェン３１は終端側を支点として始端側が上下回動できるように構成している。また、この供給チェン３１の始端挟持部は、左側穂先係止搬送装置２９Ｌと前穂先係止搬送装置３０Ｆ終端の合流部Ｋの下方に臨ませてあり、合流部での穀稈の引継ぎが良好に行えるようにしている。
【００２０】
上記後穂先係止搬送装置３０Ｒ及び供給チェン３１は、刈取入力軸６から第四ベベルギヤ機構Ｇ４と後穂先搬送駆動軸３５を介して回転駆動するように連動構成してあり、また、前穂先係止搬送装置３０Ｆ及び右側株元挟持搬送装置２８Ｒは、縦伝動軸１５の途中部から第五ベベルギヤ機構Ｇ５と前穂先搬送駆動軸３７を介して回転駆動するように連動構成し、前穂先係止搬送装置３０Ｆの従動側スプロケットから右側穂先係止搬送装置２９Ｒと右側上部穂先係止搬送装置２９ＲＵを駆動している。
【００２１】
更に、中央株元挟持搬送装置２８Ｃ及び中央側穂先係止搬送装置２９Ｃも、縦伝動軸１５から第六ベベルギヤ機構Ｇ６と中央搬送駆動軸３６で動力伝達するように連動構成している。
【００２２】
また、左側株元挟持搬送装置２８Ｌ及び左側穂先係止搬送装置２９Ｌは、刈取横伝動軸１６から第三ベベルギヤ機構Ｇ３を介して回転駆動される側部縦引起し伝動軸３８の中間部から第七ベベルギヤ機構Ｇ７と第八ベベルギヤ機構Ｇ８と左穂先搬送駆動軸４２を介して回転駆動するように連動構成している。
【００２３】
図６は左から四条目と五条目の掻込スターホイル２４，２４の取付部を示し、掻込スターホイル２４，２４の支点部ハブ７０，７１より後方へそれぞれフレーム６３，６４を突出させ、四条目フレーム６３には引起し伝動ケース３９と連結する縦フレーム６５を配し、五条目フレーム６４には株元搬送チェン６７を巻きかけるチェンレール６６を配置し、そのチェンレール６６上に突出する五条側連結部材７２と四条目の縦フレーム６５の四条側連結部材７６を連結フレーム６８で連結する。そして、この連結フレーム６８の略中央で上下に貫通した支軸７３の下側に株元搬送チェン６７用のローラ６２を枢支し上側にテンションローラ７４のテンションアーム６９を配置し、テンションアーム６９と四条側連結部材７６の間に設ける引張りばね７５でテンションローラ７４にテンションを付与する。さらに、四条目フレーム７０の後端に右側株元挟持搬送装置２８Ｒの後半部に沿わせる搬送挟持ガイド４０（図１）を取り付けている。この構成で、四条目と五条目のフレーム６３，６４の構成強度が向上し、四条目と五条目のフレーム６３，６４の後下方のスペースが広くとれて雑草溜まりを防止出来る。また、株元搬送チェン６７周りのメンテナンスが容易である。
【００２４】
側部縦引起し伝動軸３８は、刈取横伝動ケース１１の端部から上方に立設された引起し伝動ケース３９内に軸架された７条分の穀稈を引き起す７基の引起し装置２１，２１・・・を駆動する引起し横伝動軸４３に第九ベベルギヤ機構Ｇ９を介して回転駆動するように連動構成している。
【００２５】
左上部穂先係止搬送装置２９ＬＵと中央上部穂先係止搬送装置２９ＣＵも引起し装置２１の一つに動力伝動する伝動系から駆動するように構成している。
図１０は、分草体２０を示し、前側の前分草板２０ａと後分草板２０ｂを一体に連結して使用し、前分草板２０ａと後分草板２０ｂのどちらかが損傷すると交換できるようにしている。なお、前分草板２０ａのみで使用することもある。
【００２６】
図７は、最も右側に位置する引起し装置２１を示し、引起し装置２１の前に分草杆４５を設けると共にこの分草杆４５と引起し前カバー４９との間の右側部を塞ぐサイドカバー４６を設けている。このサイドカバー４６は分草杆４５側に取り付け、引起し前カバー４９との当接部にゴム体４７を設けている。また、分草杆４５は分草体２０に取り付け、分草体２０の枢支軸４８を中心にした左右回動に伴ってサイドカバー４６と共に動くが、ゴム体４７で引起し前カバー４９に当接しているためにこの引起し前カバー４９を損傷しない。
【００２７】
図８は、引起し装置２１の駆動チェン５３のテンション付与構成を示している。引起しフレームに支持したスプロケット支持アーム５０の先端にスプロケット５１のハブ５８を軸支し、このハブ５８にテンションスプロケット５２を軸支したテンションアーム５９を枢支し、スプロケット支持アーム５０に固着したプレート５４に調整アーム５６をピン５５で枢支すると共にこの調整アーム５６をプレート５４の折り曲げ部に複数個所設ける引っ掛け部に引っ掛けてナット６０で固定するようにする。そして、テンションアーム５９とアーム５６の間に引張ばね５７とフック６１を引っ掛ける。アーム５６のプレート５４の折り曲げ部に対する固定位置を変更すると引張ばね５７のテンションスプロケット５２を引く弾発力を変え、フック６１はテンションスプロケット５２の移動範囲を規制する。
【符号の説明】
【００２８】
２１    引起し装置
２８Ｃ  中央株元挟持搬送装置
２８Ｌ  左側株元挟持搬送装置
２８Ｒ  右側株元挟持搬送装置
２９Ｃ  中央穂先係止搬送装置
２９Ｌ  左穂先係止搬送装置
２９Ｒ  右穂先係止搬送装置
【図１】
2010193751.tif 000003
【図２】
2010193751.tif 000004
【図３】
2010193751.tif 000005
【図４】
2010193751.tif 000006
【図５】
2010193751.tif 000007
【図６】
2010193751.tif 000008
【図７】
2010193751.tif 000009
【図８】
2010193751.tif 000010
【図９】
2010193751.tif 000011
【図１０】
2010193751.tif 000012